(57)【要約】【課題】紐部に不具合が発生した際に繁雑な交換作業を必要とせずに容易に不具合を解消することができる紐付き帽子を提供する。【解決手段】頭部を被覆可能な帽子本体部１１と、帽子本体部１１の下部に一体に形成された鍔部２０と、帽子本体部１１の両側頭部側下部内周部にそれぞれ形成されたループ部３０，３０と、各ループ部３０，３０に対して着脱自在な紐部４０とを有する。また、ループ部３０，３０は紐状物をループ状に形成してなり、紐部４０は両端に一側が開閉可能な環状のフック部材４５を有する。【選択図】図１
0003159879.tif 000002
【実用新案登録請求の範囲】
【請求項１】
頭部を被覆可能な帽子本体部と、前記帽子本体部の下部に一体に形成された鍔部と、前記帽子本体部の両側頭部側下部内周部にそれぞれ形成されたループ部と、前記各ループ部に対して着脱自在な紐部とを有することを特徴とする紐付き帽子。
【請求項２】
前記ループ部が紐状物をループ状に形成してなる請求項１に記載の紐付き帽子。
【請求項３】
前記紐部が両端に一側が開閉可能な環状のフック部材を有する請求項１又は２に記載の紐付き帽子。
【請求項４】
前記紐部が顎紐である請求項１ないし３のいずれか１項に記載の紐付き帽子。
【考案の詳細な説明】
【技術分野】
【０００１】
本考案は、着用時に風等によって飛ばされることを防止することができる紐付き帽子に関する。
【背景技術】
【０００２】
屋外で長時間過ごす場合等に日射病対策や直射日光から目を保護するため等、あるいは、ファッションとして、様々な帽子が着用されている。これらの帽子において、着用時に風等によって飛ばされることを防止する場合には、顎紐等の紐部を有する紐付き帽子が一般的に使用される。
【０００３】
従来の紐付き帽子では、頭部を被覆する帽子本体部の内周側にゴム紐等を縫いつけて顎紐等を形成するように構成されている。しかしながら、縫いつけられた紐部のサイズが合わなかったり、使用するに従って紐部のゴムが伸びたり切れたりする等の不具合が発生することがある。このような不具合が発生した場合、古い顎紐を取り外して新しい顎紐を縫い直すというように繁雑な交換作業が必要となるため、顎紐を交換せずに顎紐の機能が損なわれたまま使用し続けたり、紐付き帽子そのものを着用しなくなる等の問題があった。
【考案の概要】
【考案が解決しようとする課題】
【０００４】
本考案は前記の点に鑑みなされたものであり、紐部に不具合が発生した際に繁雑な交換作業を必要とせずに容易に不具合を解消することができる紐付き帽子を提供するものである。
【課題を解決するための手段】
【０００５】
すなわち、請求項１の考案は、頭部を被覆可能な帽子本体部と、前記帽子本体部の下部に一体に形成された鍔部と、前記帽子本体部の両側頭部側下部内周部にそれぞれ形成されたループ部と、前記各ループ部に対して着脱自在な紐部とを有することを特徴とする紐付き帽子に係る。
【０００６】
請求項２の考案は、前記ループ部が紐状物をループ状に形成してなる請求項１に記載の紐付き帽子に係る。
【０００７】
請求項３の考案は、前記紐部が両端に一側が開閉可能な環状のフック部材を有する請求項１又は２に記載の紐付き帽子に係る。
【０００８】
請求項４の考案は、前記紐部が顎紐である請求項１ないし３のいずれか１項に記載の紐付き帽子に係る。
【考案の効果】
【０００９】
請求項１の考案に係る紐付き帽子は、頭部を被覆可能な帽子本体部と、前記帽子本体部の下部に一体に形成された鍔部と、前記帽子本体部の両側頭部側下部内周部にそれぞれ形成されたループ部と、前記各ループ部に対して着脱自在な紐部とを有するため、紐部の交換に際して繁雑な作業が不要となり、紐部に不具合が生じても容易かつ速やかに不具合を解消することができる。
【００１０】
請求項２の考案は、請求項１において、前記ループ部が紐状物をループ状に形成してなるため、容易かつ経済的にループ部を形成することができる。
【００１１】
請求項３の考案は、請求項１又は２において、前記紐部が両端に一側が開閉可能な環状のフック部材を有するため、着脱作業を極めて容易に行うことができるとともに、紐部を確実に取り付けることができる。
【００１２】
請求項４の考案は、請求項１ないし３において、前記紐部が顎紐であるため、着用時に帽子が飛んでいってしまうことを容易かつ確実に防止することができる。
【図面の簡単な説明】
【００１３】
【図１】本考案の一実施例に係る紐付き帽子の斜視図である。
【図２】ループ部近傍の拡大図である。
【考案を実施するための形態】
【００１４】
図１に示す本考案の一実施例に係る紐付き帽子１０は、頭部を被覆可能な帽子本体部１１と、鍔部２０と、ループ部３０，３０と、紐部４０とを有する。
【００１５】
鍔部２０は、帽子本体部１１の下部に一体に形成された突出部分であり、直射日光から目を保護したり日焼けを抑制したりする等のひさしとして機能する。この鍔部２０は、帽子本体部１１の前側あるいは全周にわたって適宜の大きさや形状で形成することができる。図示の例では、鍔部２０は帽子本体部１１の全周にわたって形成されている。
【００１６】
ループ部３０，３０は、帽子本体部１１の両側頭部側下部内周部にそれぞれ形成される。各ループ部３０，３０は、図２に示すように、紐状物３１をループ状に形成したものであることが好ましい。これにより、各ループ部３０，３０を容易かつ経済的に形成することができる。
【００１７】
紐部４０は、着用時に当該帽子１０が風等によって飛ばされることを防止するためのものであって、各ループ部３０，３０に対して着脱自在に構成され、組紐やゴム紐等の適宜の紐状物を使用することができる。この紐部４０は、顎紐であることが好ましく、着用時に帽子が飛んでいってしまうことを容易かつ確実に防止することができる。
【００１８】
また、この紐部４０は、端部をいずれかのループ部３０に通して縛ったり、端部にクリップ部材等の適宜の固定部材を設けたりすることにより、ループ部３０に対して着脱自在に構成することができるが、特に、図１，２に示すように、紐部４０両端に一側が開閉可能な環状のフック部材４５を設けることが好ましい。この環状のフック部材４５では、図２（ａ）に示すように、つまみ部４６の操作により可動片４７を可動させるだけで一側を容易に開閉することができるため、着脱作業を極めて容易に行うことができる。さらに、図２（ｂ）に示すように、取付時には可動片４７が不意に開放されることがないため、ループ部３０に対して紐部４０を確実に取り付けることができる。
【００１９】
本考案の紐付き帽子１０にあっては、帽子本体部１１にループ部３０，３０を形成し、ループ部３０，３０に対して紐部４０が着脱自在に構成されているため、紐部４０の交換に際して繁雑な作業が不要となり、紐部４０に不具合が生じても容易かつ速やかに不具合を解消することができる。
【００２０】
なお、本考案の紐付き帽子は、前述の実施例のみに限定されるものではなく、考案の趣旨を逸脱しない範囲において構成の一部を適宜に変更して実施することができる。例えば、実施例ではループ部を帽子本体部の内周部に形成したが、これに加えて帽子本体部の両側頭部側下部外周部にさらにループ部を形成してもよい。このように、帽子本体部の外周部にもループ部を形成すれば、リボン、革紐、レース、アクセサリ等の所望する装飾品を帽子本体部の外側に簡易に取り付けることができるため、容易にファッション性を高めることができるとともに、オリジナリティに富んだ帽子を作ることができる。加えて、帽子本体部をリバーシブルに構成することによって、より多様性に富んだ着用を楽しむことができる。
【００２１】
また、実施例では、紐部を顎紐として説明したが、これに限らず、各ループ部に対して個別に紐部を取り付け、各紐部の他端側を洋服の襟に取り付けるように構成してもよい。
【符号の説明】
【００２２】
１０    紐付き帽子
１１    帽子本体部
２０    鍔部
３０    ループ部
４０    紐部
４５    フック部材
【図１】
0003159879.tif 000003
【図２】
0003159879.tif 000004